(57)【要約】【課題】電池缶内に発電要素を密閉状態で収容した電池において、ガスケットと封口板の間に大きな空間スペースを必要とせず、また、封口板の強度を損なうことなく所定の作動圧で確実に動作可能な安全弁機能を備えることを可能にし、さらに、電池の耐漏液性を向上させる。【解決手段】封口板３３、ガスケット３５、集電子３１とを集合一体化した電池封口体３０にあって、上記封口板３３は少なくとも１つの通気孔３４を形成し、上記ガスケット３５は、上記封口板３３および上記集電子３１に密着する略層状に形成するとともに、上記通気孔３４に対応する位置に薄肉部３９を形成する。【選択図】  図１
2006066087.tif 000002
【特許請求の範囲】
【請求項１】
発電要素を収容する電池缶の開口部を封口するとともに電池の一方極端子を形成する金属製封口板と、上記電池缶と上記封口板の間に介在して上記電池缶内を気密封止する樹脂製ガスケットと、上記封口板に接合されるとともに上記樹脂製ガスケットを貫通して上記発電要素中に挿入される棒状の金属製集電子とが集合一体化された電池封口体において、上記封口板は少なくとも１つの通気孔が形成され、上記樹脂製ガスケットは上記封口板および上記集電子に密着して略層状に形成されるとともに少なくとも上記通気孔に対応する位置に薄肉部が形成されていることを特徴とする電池封口体。
【請求項２】
請求項１において、前記樹脂製ガスケットは、前記封口板および前記集電子が成形型面の一部となるインサート成形により、その封口板および集電子と一体化されていることを特徴とする電池封口体の製造方法。
【請求項３】
請求項１または２において、前記集電子の前記樹脂製ガスケットと密着する部分に、その集電子の長手方向と略直交する方向の凸条および／または凹溝が形成されていることを特徴とする電池封口体。
【請求項４】
請求項１〜３のいずれかにおいて、前記集電子の前記樹脂製ガスケットと密着する部分が粗面加工されていることを特徴とする電池封口体。
【請求項５】
請求項１〜４のいずれかにおいて、前記集電子の樹脂製ガスケットと密着する部分にシール剤があらかじめ塗布されていることを特徴とする電池封口体。
【請求項６】
請求項１〜５のいずれかにおいて、前記集電子の前記樹脂製ガスケットと密着する部分に、金属との密着性にすぐれた樹脂があらかじめ固着されていることを特徴とする電池封口体。
【請求項７】
請求項１〜６のいずれかにおいて、前記樹脂製ガスケットの前記集電子を囲む部分に、その部分を外側から囲繞する部品を装着したことを特徴とする電池封口体。
【請求項８】
請求項１〜７のいずれかにおいて、前記封口板に、円周方向の位置決めを可能にする凹部および／または凸部が形成されていることを特徴とする電池封口体。
【請求項９】
請求項１〜８のいずれかにおいて、前記樹脂製ガスケットは、前記電池缶開口部の縮径方向へのかしめ加工により、前記集電子を締め付けながら外周から圧縮されるように形成されていることを特徴とする電池封口体。
【請求項１０】
請求項１〜９のいずれかにおいて、前記ガスケットが、ポリアミド、ポリオレフィンの少なくとも１つを含む材料からなることを特徴とする電池封口体。
【請求項１１】
請求項１〜１０のいずれかに記載の電池封口体を用いて封止されたことを特徴とする電池。
【発明の詳細な説明】
【技術分野】
【０００１】
この発明は電池封口体および電池に関し、たとえば有底筒状の電池缶内に発電要素を密閉状態で収容した電池において、電池端子を兼ねる封口板と、集電子と、樹脂製ガスケットを集合一体化させた電池封口体およびその封口体を用いて封止された電池に適用としてとくに有効である。
【背景技術】
【０００２】
たとえばＬＲなどのアルカリ乾電池では、発電要素を収容した電池缶内を気密封止するために、電池端子を兼ねる封口板と、集電子と、樹脂製ガスケットを集合一体化させた電池封口体が使用されている。
【０００３】
この電池封口体は、正常な使用時あるいは保管時における漏液発生を確実に抑止する一方、過放電等により電池内圧が異常上昇したときには、その異常上昇した内圧（発生ガス）を外部へ安全に逃がす必要がある。つまり、正常時における封止機能と異常時における安全弁機能の両方を備える必要がある。
【０００４】
図１０は、上記安全弁機能を備えた従来の電池封口体３０’をその組み立て工程段階別に示す。同図に示す電池封口体３０’は、次のようにして組み立てられる。
【０００５】
まず、同図の（ａ）に示すように、電池端子（負極端子）を兼ねる皿状の金属製封口板３３の内側面に、棒状の金属製集電子（負極集電子）３１をスポット溶接等で接合する。封口版３３には通気孔３４’があらかじめ設けられている。  
また、同図の（ｂ）に示すように、樹脂製ガスケット３５’の中央ボス部３８に金属製の補強用キャップ４１を被せる。このキャップ４１には上記集電子３１を貫通させる透孔が形成されている。
【０００６】
上記樹脂製ガスケット３５’には、周縁パッキング部３６、中間隔壁部３７、中央ボス部３８が同心状に一体形成されている。  
中間隔壁部３７は、電池内圧が異常上昇したときに、その内圧によって大きく変形移動するように形成されているとともに、この変形移動の際に亀裂を生じて先行破断するような薄肉部が設けられている。
【０００７】
中央ボス部３８には上記集電子３１を圧入状態で挿通させる孔が形成されている。同図の（ｃ）に示すように、上記集電子３１を上記中央ボス部３８の孔に挿通させることにより、同図の（ｄ）に示すように、封口板３３、集電子３１、ガスケット３５’を集合一体化した電池封口体３０’が構成される。
【発明の開示】
【発明が解決しようとする課題】
【０００８】
上述した従来の電池封口体３０’には、次のような問題があった。  
まず、上記封口体３０’においては、集電子３１とガスケット３５’間での密閉性（シール性）が電池の耐漏液性能に大きく関与する。集電子３１はガスケット３５’の中央ボス部３８を圧入状態で貫通させられる。このとき、上記密閉性を良くするためには、集電子３１とボス部３８間に作用する弾性応力を大きくする必要がある。しかし、その弾性応力を大きくすると、ガスケット３５’側の歪ストレスが局部的に増大して、長期保存での耐久性が低下するという背反が生じる。このため、ガスケット３５’のボス部３８に補強用キャップ４１を被せるなどの対策が必要であった。しかし、そのキャップ４１も、局部的な歪ストレスが原因となって生じる樹脂の劣化による耐漏液性低下は防ぐことができない。
【０００９】
また、上記封口体３０’では、電池の異常内圧（ガス圧）によりガスケット３５’の中間隔壁部３７が大きく変形移動することによって、薄肉部に亀裂を生じさせる構造になっている。その変形移動を可能にするスペースを確保するため、中間隔壁部３７と封口板３３の間には、通気孔３４’により外気に連通された大きな空間スペースが形成されている。この空間スペースを形成するため、上述した電池封口体では、電池内容物の収容スペースが小さくなってしまうという問題があった。
【００１０】
上記問題の解決手段としては、特許文献１に開示された電池封口体がある。この封口体は、樹脂製ガスケットと封口板間を密着させるとともに、封口板の内側面（内底面）に円弧状の破断誘起溝を形成したものであって、その破断誘起溝の上に被さるガスケット部分（中間隔壁部に相当）は薄肉に形成されている。
【００１１】
この電池封口体では、電池内圧をガスケットの薄肉部を介して上記破断誘起溝に直接作用させるようにしてある。その電池内圧が異常上昇すると、上記破断誘起溝が破断される。これに伴ってガスケットの薄肉部が破断して内部ガスが安全に放出される。
【００１２】
上記手段によれば、ガスケットと封口板の間に大きな空間スペースを確保しなくても、安全弁機能を形成することができる。また、ガスケットと封口板を密着させる構造は、ガスケットと封口体および集電子をインサート成形により一体化させるのにも適している。このインサート成形により封口体の組立作業を簡略化することができる。また、ガスケットに大きな歪ストレスを生じさせることなく、集電子とガスケット間の密閉性を良好にすることができる。
【００１３】
ところが、上記手段には、次のような問題点のあることが判明した。  
すなわち、封口板に形成した破断誘起溝は電池内圧の異常上昇以外の要因によっても破断する可能性がある。つまり、上記破断誘起溝が封口板の強度を低下させ、通常の使用状態において受ける衝撃でも破断してしまう懸念が生じる。封口板は電池の一方極端子を形成する部分でもあるため、外部からの衝撃を受けやすい。
【００１４】
上記懸念を払拭するためには、上記破断誘起溝を破断しにくく形成すればよいが、そうすると、今度は、安全弁としての作動圧力が高くなって、所定の作動圧で確実に動作する安全弁機能を得ることが難しくなるという背反が生じる。
【００１５】
この発明は、以上のような技術背景の下になされたものであって、その目的は、ガスケットと封口板の間に大きな空間スペースを必要とせず、また、封口板の強度を損なうことなく所定の作動圧で確実に動作可能な安全弁機能を備えることができ、さらに、電池の耐漏液性を向上させることができる電池封口体を提供することにある。
【特許文献１】特開２００１−１２６６９４
【課題を解決するための手段】
【００１６】
本発明は前述した課題を解決するために次の手段を提供する。  
（１）発電要素を収容する電池缶の開口部を封口するとともに電池の一方極端子を形成する金属製封口板と、上記電池缶と上記封口板の間に介在して上記電池缶内を気密封止する樹脂製ガスケットと、上記封口板に接合されるとともに上記樹脂製ガスケットを貫通して上記発電要素中に挿入される棒状の金属製集電子とが集合一体化された電池封口体において、上記封口板は少なくとも１つの通気孔が形成され、上記樹脂製ガスケットは上記封口板および上記集電子に密着して略層状に形成されるとともに少なくとも上記通気孔に対応する位置に薄肉部が形成されていることを特徴とする電池封口体。
【００１７】
前記手段（１）においては、以下のような手段が実施形態として好適または望ましい。  
（２）前記手段（１）において、前記樹脂製ガスケットは、前記封口板および前記集電子が成形型面の一部となるインサート成形により、その封口板および集電子と一体化されていることを特徴とする電池封口体の製造方法。
【００１８】
（３）前記手段（１）または（２）において、前記集電子の前記樹脂製ガスケットと密着する部分に、その集電子の長手方向と略直交する方向の凸条および／または凹溝が形成されていることを特徴とする電池封口体。
【００１９】
（４）前記手段（１）〜（３）のいずれかにおいて、前記集電子の前記樹脂製ガスケットと密着する部分が粗面加工されていることを特徴とする電池封口体。
【００２０】
（５）前記手段（１）〜（４）のいずれかにおいて、前記集電子の樹脂製ガスケットと密着する部分にシール剤があらかじめ塗布されていることを特徴とする電池封口体。
【００２１】
（６）前記手段（１）〜（５）のいずれかにおいて、前記集電子の前記樹脂製ガスケットと密着する部分に、金属との密着性にすぐれた樹脂があらかじめ固着されていることを特徴とする電池封口体。
【００２２】
（７）前記手段（１）〜（６）のいずれかにおいて、前記樹脂製ガスケットの前記集電子を囲む部分に、その部分を外側から囲繞する部品を装着したことを特徴とする電池封口体。
【００２３】
（８）前記手段（１）〜（７）のいずれかにおいて、前記封口板に、円周方向の位置決めを可能にする凹部および／または凸部が形成されていることを特徴とする電池封口体。
【００２４】
（９）前記手段（１）〜（８）のいずれかにおいて、前記樹脂製ガスケットは、前記電池缶開口部の縮径方向へのかしめ加工により、前記集電子を締め付けながら外周から圧縮されるように形成されていることを特徴とする電池封口体。
【００２５】
（１０）前記手段（１）〜（９）のいずれかにおいて、前記ガスケットが、ポリアミド、ポリオレフィンの少なくとも１つを含む材料からなることを特徴とする電池封口体。
【００２６】
また、本発明は、前述した課題を解決する電池として、次の手段を提供する。  
（１１）前記手段（１）〜（１０）のいずれかに記載の電池封口体を用いて封止されたことを特徴とする電池。
【発明の効果】
【００２７】
電池缶内に発電要素を密閉状態で収容した電池において、ガスケットと封口板の間に大きな空間スペースを必要とせず、また、封口板の強度を損なうことなく所定の作動圧で確実に動作可能な安全弁機能を備えることができ、さらに、電池の耐漏液性を向上させることができる。
【００２８】
なお、上記以外の効果については、本発明の明細書および図面の記載によりあきらかとなるであろう。
【発明を実施するための最良の形態】
【００２９】
図１は、本発明の技術が適用された電池封口体の要部をその組み立て工程段階別に示す。同図に示すように、本発明に係る電池封口体３０は金属製封口板３３と、樹脂製ガスケット３５と、棒状の金属製集電子３１とが集合一体化されている。
【００３０】
封口板３３は、発電要素を収容する電池缶の開口部を封口するとともに電池の一方極端子を形成する。この封口板３３は平坦な中央面部と斜めに傾斜した周縁部を有する皿状に形成されている。その斜めに傾斜した周縁面部に通気孔３４が形成されている。通気孔３４は１個所または所定間隔を置いて複数個所設けられている。
【００３１】
樹脂製ガスケット３５は、上記電池缶と上記封口板３３の間に介在して上記電池缶内を気密封止する。この樹脂製ガスケット３５は、封口板３３および集電子３１に密着して略層状に形成されているとともに、少なくとも上記通気孔３４に対応する位置に薄肉部３９が形成されている。
【００３２】
集電子３１は、上記封口板３３にスポット溶接等により接合されるとともに、上記樹脂製ガスケット３５の中央部を貫通して上記発電要素中に挿入されるようになっている。
【００３３】
上記封口体３５は、次のようにして集合一体化される。  
まず、図１の（ａ）に示すように、封口板３３の電池缶内を向く内側面に集電子３１の頭部をスポット溶接等により接合する。このあと、同図の（ｂ）および（ｃ）に示すように、集電子３１を接合した封口板３３をインサート成形金型５０にセットし、その封口板３３の内側に樹脂製ガスケット３５をインサート成形により形成する。インサート成形は封口板３３および集電子３１を成形型面の一部にして行う。このインサート成形により、ガスケット３５が封口板３３および集電子３１と一体化された状態で成形される。
【００３４】
上記のように構成された封口体３０は、インサート成形により組み立てを効率的に行わせることが可能であるとともに、ガスケット３５に大きな局部的歪ストレスを生じさせることなく、集電子３１とガスケット３５間の密閉性を良好にすることができる。
【００３５】
また、上記ガスケット３５の集電子３１と密着する部分には、集電子３１の所定長さ分を密着状態で囲む管状部３５１が形成されているが、これは、ガスケット３５と集電子３１間の密閉性を高めるのに有効である。
【００３６】
さらに、上記集電子３１の上記管状部３５１で囲まれる部分３２には、上記密閉性を高めるために、螺旋凸条の形成、粗面加工、シール剤塗布、熱可塑性樹脂の予備固着などを行うことができる。これらの詳細については後述する。
【００３７】
また、図示を省略するが、上記管状部３５１すなわち樹脂製ガスケット３５の集電子３１を囲む部分には、その部分を外側から囲繞する部品を装着してもよい。ガスケット３５の材質としては、ポリアミド、ポリオレフィンの少なくとも１つを含む材料がとくに適している。
【００３８】
図２は、上記封口板３３の通気孔３４および上記ガスケット３５の薄肉部３９の実施形態を示す。上述したように、封口板３３の通気孔３４は、周縁付近の斜めに傾斜した周縁面部に設けられている。ガスケット３５には、その通気孔３４と略同径の薄肉部３９が形成されている。
【００３９】
電池内圧が異常上昇すると、その内圧（ガス圧）によって上記薄肉部３９は通気孔３４側へ押圧される。その押圧力すなわち電池内圧が所定以上になると、薄肉部３９が通気孔３４側へ押しやられて破断する。この破断により電池内圧が安全に解放される。このようにして、通気孔３４と薄肉部３９は安全弁機能を形成する。
【００４０】
ここで注目すべきことは、上記安全弁機能の作動が封口板３３の破断を伴わないことである。つまり、封口板３３の強度を低下させる破断誘起溝を設けることなく、また、ガスケット３５と封口板３３の間に大きな空間スペースを形成することなく、上記薄肉部３９だけの破断により、所定の安全弁動作を行わせることができる。
【００４１】
薄肉部３９は、同図の（ａ）〜（ｃ）および（ａ’）〜（ｃ’）にそれぞれ示すように、次の３形態のいずれかで形成するとよい。第１の形態は、（ａ）または（ａ’）に示すように、薄肉部３９を封口板３３の内側面に寄った位置に形成する。第２の形態は、（ｂ）または（ｂ’）に示すように、薄肉部３９をガスケット３５の電池缶内側面に寄った位置に形成する。第３の形態は、（ｃ）または（ｃ’）に示すように、薄肉部３９をガスケット３５の厚み中間位置に形成する。
【００４２】
図示の例では、通気孔３４と薄肉部３９をほぼ同径に形成してあるが、安全弁動作において所定の作動圧が得られるならば、一方の径を他方の径よりも大きく、または小さくしてもよい。また、通気孔３４と薄肉部３９は必ずしも同一平面形状でなくてもよく、たとえば、複数の通気孔３４にまたがるような薄肉部を形成してもよい。
【００４３】
図３は、上記薄肉部３９の形成する方法の一実施形態を示す。図２の（ａ）〜（ｃ）にそれぞれ示す薄肉部３９は、封口板３３およびガスケット３５の面に対して垂直方向からの型抜きにより形成されている。この型抜きは、図３に示すように、封口板３３の中央面部に対して斜め方向に移動する一対の成型ピン５１，５２により行うことができる。
【００４４】
図４は、上記薄肉部３９の形成する方法の別の実施形態を示す。図２の（ａ’）〜（ｃ’）にそれぞれ示す薄肉部３９は、封口板３３およびガスケット３５の面に対して斜め方向からの型抜きにより形成されている。この型抜きは、図４に示すように、封口板３３の中央面部に対して垂直方向に移動する一対の成型ピン５１，５２により行うことができる。
【００４５】
上記２つの型抜き工程はいずれも、上記インサート成形と同時に行うことができるが、上記インサート成形後に行ってもよい。インサート成形と同時に行う場合は、工程数を減らすことができる。また、インサート成形後に行う場合は、インサート成形金型の構造を簡単化することができる。
【００４６】
図５は、上記封口体６０のさらに好適な実施形態を示す。同図に示すように、本発明に係る封口体３０では、集電子３１の樹脂製ガスケット３５と密着する部分３２に、その集電子３１の長手方向と略直交する螺旋凸条３２１を設けることができる。この螺旋凸条３２１により、集電子３１とガスケット３５間の密閉性を大幅に高めることができる。
【００４７】
上記効果は螺旋凸条３２１でなくても、螺旋凹溝、環状凸部または凹部など、集電子３１の長手方向と略直交する方向の凸条および／または凹溝により得ることができる。また、図６に示すように、集電子３１の樹脂製ガスケット３５と密着する部分３２に粗面３２２を設けても、同様の効果を得ることができる。
【００４８】
さらに、図７の（ａ）〜（ｃ）に示すように、集電子３１の樹脂製ガスケット３５と密着する部分３２には、金属との密着性にすぐれた樹脂４５をあらかじめ固着させるとよい。これにより、その樹脂４５を介して集電子３１とガスケット３５間の密閉性をさらに大幅に高めることができる。
【００４９】
さらにまた、集電子３１の樹脂製ガスケット３５と密着する部分３２には、図７に示した上記樹脂４５の代わりに、シール剤を塗布しても良い。この場合は、そのシール剤が集電子３１とガスケット３５間の密閉性をさらに大幅に高めることができる。
【００５０】
図８は、本発明に係る電池封口体３０の別の実施形態を示す。本発明に係る封口体３０では、樹脂製ガスケット３５を封口体３３に密着させて形成することができる。これにより、そのガスケット３５は、同図に示すように、電池缶１１の開口部１２を縮径方向にかしめ加工した際に外周から圧縮されるとともに、その圧縮によって集電子３１を締め付けるように形成することができる。
【００５１】
この場合、ガスケット３５にはかしめ加工による応力が残留するが、この応力はガスケット３５のほぼ全体に均等に分散されるので、ガスケット３５の機能を損なうような部分的劣化の心配はない。
【００５２】
図９は、上述した電池封口体３０をガスケット３５側から見た平面図を示す。  
同図において、（ａ）は、封口板３３の通気孔３４とガスケット３５の薄肉部３９を１対１の対応でそれぞれ複数設けた例を示す。この場合、封口板３３には凹部および／または凸部による位置決め用マーク部３４１が形成されている。これにより、薄肉部３９を形成する際に必要な封口板３３の通気口３４と成形ピン５１，５２との位置決めが可能となる。
【００５３】
上記位置決め用マーク部３４１は、必ずしも独立して設けなくてもよい。たとえば複数の通気孔３４を円周方向に対して非対称に配設すれば、その複数の通気孔３４を位置決め用マーク部として利用することが可能である。
【００５４】
また、同図において、（ｂ）は、複数の通気孔３４に対し、薄肉部３９を１つの環状溝により形成してある。各通気孔３４はそれぞれ、その環状溝（薄肉部３９）上に形成されている。この場合、薄肉部３９の形態は図２の（ｂ），（ｂ’）に示したものに限定されるが、成形ピン５２が不要となることで金型構造の簡素化がはかれる。
【００５５】
表１は、本発明による電池封口体を用いた電池の漏液試験結果を示す。
【表１】
2006066087.tif 000003
【００５６】
表１において、「従来方式」は、図１０に示した従来の封口体３０’を使用したアルカリ乾電池（ＬＲ）を示す。集電子形状は、ガスケットとの密着部分での掲示用であって、無加工の丸棒状、ねじ状（螺旋）、粗面状の３種類を試験した。また、集電子のガスケットと密着する部分にシール剤をあらかじめ塗布したもの、成形樹脂をあらかじめ固着させたもの、どちらも無いものの３種類を試験した。
【００５７】
上記条件の組み合わせにより、従来方式は１種類試験用電池、本発明方式は９種類の試験用電池をそれぞれ作製し、加速条件下での漏液発生数を調べたところ、表１に示すように、本発明方式は従来方式に比べて耐漏液性が大幅にすぐれていることが判明した。
【００５８】
その場合、集電子形状は、粗面状、ねじ状、丸棒状の順で、耐漏液性向上に有効であることが判明した。また、集電子のガスケットと密着する部分は、成形樹脂をあらかじめ固着させたもの、シール剤を塗布したもの、どちらも無いものの順で、耐漏液性向上に有効であることが判明した。
【００５９】
以上、本発明をその代表的な実施例に基づいて説明したが、本発明は上述した以外にも種々の態様が可能である。また、本発明は、請求項に記載以外に以下の付記事項を包含する。
【００６０】
付記：
（１）封口板が平坦な中央面部と斜めに傾斜した周縁部を有する皿状に形成されているとともに、ガスケットの薄肉部が上記中央面部に対して垂直方向に型抜きされて形成されていることを特徴とする電池封口体。  
（２）前記薄肉部が前記封口板の内側面に寄った位置に形成されていることを特徴とする電池封口体。  
（３）前記薄肉部が前記ガスケットの電池缶内側面に寄った位置に形成されていることを特徴とする電池封口体。  
（４）前記薄肉部が前記ガスケットの厚み中間位置に形成されていることを特徴とする電池封口体。  
（５）前記集電子の前記樹脂製ガスケットと密着している部分の凸条および／または凹状による螺旋が形成されていることを特徴とする電池封口体。
【産業上の利用可能性】
【００６１】
電池缶内に発電要素を密閉状態で収容した電池において、ガスケットと封口板の間に大きな空間スペースを必要とせず、また、封口板の強度を損なうことなく所定の作動圧で確実に動作可能な安全弁機能を備えることができ、さらに、電池の耐漏液性を向上させることができる。
【図面の簡単な説明】
【００６２】
【図１】本発明に係る電池封口体の一実施形態を示す断面図である。
【図２】本発明に係る電池封口体のＡ部を拡大して示す断面図である。
【図３】本発明に係る電池封口体の要部形成方法の一例を示す断面図である。
【図４】本発明に係る電池封口体の要部形成方法の別例を示す断面図である。
【図５】集電子部分の一実施形態を示す断面図である。
【図６】集電子部分の別の実施形態を示す断面図である。
【図７】集電子部分のさらに別の実施形態を示す断面図である。
【図８】本発明に係る電池封口体の別の実施形態を示す断面図である。
【図９】本発明に係る電池封口体をガスケット側から見た平面図である。
【図１０】従来の電池封口体の構成例を示す断面図である。
【符号の説明】
【００６３】
１１    電池缶                    １２    開口部
３０    電池封口体（本発明）      ３０’  電池封口体（従来）
３１    集電子                    ３２    ガスケットとの密着部分
３２１  螺旋凸条（凸条および／または凹溝）    ３２２  粗面
３３    封口板
３４    通気孔                      ３４１  位置決め用マーク部
３５    樹脂製ガスケット（本発明）  ３５’  樹脂製ガスケット（従来）
３５１  管状部
３９    薄肉部                      ４１    補強用キャップ
４５    樹脂                        ５０    インサート成形金型
５１，５２  成型ピン
【図１】
2006066087.tif 000004
【図２】
2006066087.tif 000005
【図３】
2006066087.tif 000006
【図４】
2006066087.tif 000007
【図５】
2006066087.tif 000008
【図６】
2006066087.tif 000009
【図７】
2006066087.tif 000010
【図８】
2006066087.tif 000011
【図９】
2006066087.tif 000012
【図１０】
2006066087.tif 000013